(57)【要約】      （修正有）【課題】ユーザの経路探索時に最終経路情報の利用価値が高い状況であると推定される場合には、経路情報と共に最終経路情報を出力することが可能な情報処理システムを提供する。【解決手段】情報処理システムにおいて、情報処理サーバ２００の制御部２０２は、経路探索条件に基づく経路情報を取得する経路情報取得部２０２ｂと、経路探索条件および経路情報取得部で取得した経路情報の少なくとも一方に基づいて、最終の経路であることを示す最終経路情報の出力の要否を判定する最終経路情報要否判定部２０２ｃと、最終経路情報要否判定手段で最終経路情報の出力が必要と判定された場合に、経路情報取得手段で取得した経路情報と共に、経路探索条件および経路情報取得手段で取得した経路情報の少なくとも一方に基づく最終経路情報を出力する経路情報出力部２０２ｄと、を備えている。【選択図】図４
2020073934.tif 000002
【特許請求の範囲】
【請求項１】
終電検索以外の経路探索のための経路探索条件に基づく経路情報を取得する経路情報取得手段と、
終電検索以外の経路探索時に、経路探索要求を受け付けた時刻の情報に基づいて、最終の経路であることを示す最終経路情報の出力の要否を判定する最終経路情報の出力の要否を判定する最終経路情報要否判定手段と、
前記最終経路情報要否判定手段で最終経路情報の出力が必要と判定された場合に、前記経路情報取得手段で取得した経路情報と共に、前記経路探索条件および前記経路情報取得手段で取得した経路情報の少なくとも一方に基づく最終経路情報を出力する経路情報出力手段と、
を備えたことを特徴とする情報処理システム。
【請求項２】
終電検索以外の経路探索のための経路探索のための経路探索条件に基づく経路情報を取得する経路情報取得手段と、
終電検索以外の経路探索時に、前記経路探索条件および前記経路情報取得手段で取得した経路情報の少なくとも一方と、前記経路探索条件および前記経路情報取得手段で取得した経路情報の少なくとも一方に基づく最終の経路であることを示す最終経路情報とを比較して、前記最終経路情報の出力の要否を判定する最終経路情報要否判定手段と、
前記最終経路情報要否判定手段で最終経路情報の出力が必要と判定された場合に、前記経路情報取得手段で取得した経路情報と共に、前記最終経路情報を出力する経路情報出力手段と、
を備えたことを特徴とする情報処理システム。
【請求項３】
前記最終経路情報要否判定手段は、最終経路の発時刻までの間に存在する他の利用可能な経路の数に基づいて、前記最終経路情報の出力の要否を判定することを特徴とする請求項３に記載の情報処理システム。
【請求項４】
前記経路情報出力手段は、前記最終経路情報を識別表示することを特徴とする請求項１〜請求項３のいずれか１つに記載の情報処理システム。
【請求項５】
前記最終経路情報は終電経路情報および終バス経路情報の少なくとも一方であることを特徴とする請求項１〜請求項４のいずれか１つに記載の情報処理システム。
【請求項６】
コンピュータを、
終電検索以外の経路探索のための経路探索条件に基づく経路情報を取得する経路情報取得手段、
終電検索以外の経路探索時に、経路探索要求を受け付けた時刻の情報に基づいて、最終の経路であることを示す最終経路情報の出力の要否を判定する最終経路情報の出力の要否を判定する最終経路情報要否判定手段、
前記最終経路情報要否判定手段で最終経路情報の出力が必要と判定された場合に、前記経路情報取得手段で取得した経路情報と共に、前記経路探索条件および前記経路情報取得手段で取得した経路情報の少なくとも一方に基づく最終経路情報を出力する経路情報出力手段、として機能させることを特徴とする情報処理プログラム。
【請求項７】
コンピュータを、
終電検索以外の経路探索のための経路探索のための経路探索条件に基づく経路情報を取得する経路情報取得手段、
終電検索以外の経路探索時に、前記経路探索条件および前記経路情報取得手段で取得した経路情報の少なくとも一方と、前記経路探索条件および前記経路情報取得手段で取得した経路情報の少なくとも一方に基づく最終の経路であることを示す最終経路情報とを比較して、前記最終経路情報の出力の要否を判定する最終経路情報要否判定手段、
前記最終経路情報要否判定手段で最終経路情報の出力が必要と判定された場合に、前記経路情報取得手段で取得した経路情報と共に、前記最終経路情報を出力する経路情報出力手段、として機能させることを特徴とする情報処理プログラム。
【請求項８】
終電検索以外の経路探索のための経路探索条件に基づく経路情報を取得する経路情報取得ステップと、
終電検索以外の経路探索時に、経路探索要求を受け付けた時刻の情報に基づいて、最終の経路であることを示す最終経路情報の出力の要否を判定する最終経路情報の出力の要否を判定する最終経路情報要否判定ステップと、
前記最終経路情報要否判定ステップで最終経路情報の出力が必要と判定された場合に、前記経路情報取得ステップで取得した経路情報と共に、前記経路探索条件および前記経路情報取得ステップで取得した経路情報の少なくとも一方に基づく最終経路情報を出力する経路情報出力ステップと、
を含むことを特徴とする情報処理方法。
【請求項９】
終電検索以外の経路探索のための経路探索のための経路探索条件に基づく経路情報を取得する経路情報取得ステップと、
終電検索以外の経路探索時に、前記経路探索条件および前記経路情報取得ステップで取得した経路情報の少なくとも一方と、前記経路探索条件および前記経路情報取得ステップで取得した経路情報の少なくとも一方に基づく最終の経路であることを示す最終経路情報とを比較して、前記最終経路情報の出力の要否を判定する最終経路情報要否判定ステップと、
前記最終経路情報要否判定ステップで最終経路情報の出力が必要と判定された場合に、前記経路情報取得ステップで取得した経路情報と共に、前記最終経路情報を出力する経路情報出力ステップと、
を含むことを特徴とする情報処理方法。
【発明の詳細な説明】
【技術分野】
【０００１】
本発明は、情報処理システム、情報処理プログラム、情報処理装置、および、情報処理方法に関する。
【背景技術】
【０００２】
従来から、終電乗換案内を行うサービスがある。ここでは、終電乗換案内とは、ユーザ指定の探索条件を満たす公共交通機関を利用した経路のうち、最も遅い時刻に出発して目的地まで到達できる終電経路を探索し、ユーザに提示するものである。
【０００３】
例えば、特許文献１に記載のナビゲーションシステムにおいては、ユーザが終電検索用のメニューから検索条件を入力することで、終電情報を出力する技術が開示されている。
【先行技術文献】
【特許文献】
【０００４】
【特許文献１】特開２０１３−４０９５８号公報
【発明の概要】
【発明が解決しようとする課題】
【０００５】
しかしながら、特許文献１に記載のナビゲーションシステムにおいては、ユーザが終電経路に関する情報を得るためには、通常の乗換検索用メニューとは異なる終電検索用のメニューから別途検索条件を入力する必要があった。このため、ユーザが終電検索の必要性を認識し、実際に終電検索メニューからの検索を実行しないと、終電情報を得ることができないという問題がある。すなわち、終電情報を必要とする状況であるにも拘わらず、ユーザがその必要性に気づくことができず、終電情報を活用できない場合が多い。
【０００６】
本発明は、上記に鑑みてなされたもので、ユーザの経路探索時に最終経路情報の利用価値が高い状況であると推定される場合には、経路情報と共に最終経路情報を出力することが可能な情報処理システム、情報処理プログラム、情報処理装置、および、情報処理方法を提供することを目的とする。
【課題を解決するための手段】
【０００７】
このような目的を達成するため、本発明は、経路探索条件に基づく経路情報を取得する経路情報取得手段と、前記経路探索条件および前記経路情報取得手段で取得した経路情報の少なくとも一方に基づいて、最終の経路であることを示す最終経路情報の出力の要否を判定する最終経路情報要否判定手段と、前記最終経路情報要否判定手段で最終経路情報の出力が必要と判定された場合に、前記経路情報取得手段で取得した経路情報と共に、前記経路探索条件および前記経路情報取得手段で取得した経路情報の少なくとも一方に基づく最終経路情報を出力する経路情報出力手段と、を備えたことを特徴とする。
【発明の効果】
【０００８】
この発明によれば、経路探索条件に基づく経路情報を取得し、経路探索条件および取得した経路情報の少なくとも一方に基づいて、最終の経路であることを示す最終経路情報の出力の要否を判定し、最終経路情報の出力が必要と判定された場合に、取得した経路情報と共に、経路探索条件および取得した経路情報の少なくとも一方に基づく最終経路情報を出力することとしたので、ユーザの経路探索時に最終経路情報の利用価値が高い状況であると推定される場合には、経路情報と共に最終経路情報を出力することが可能になるという効果を奏する。
【図面の簡単な説明】
【０００９】
【図１】図１は、本実施形態における情報処理システムの概略構成の一例を示す概念図である。
【図２】図２は、本実施形態における情報処理サーバの構成の一例を示すブロック図である。
【図３】図３は、本実施形態における端末装置の構成の一例を示すブロック図である。
【図４】図４は、本実施形態における情報処理システムの構成の一例を示すブロック図である。
【図５】図５は、本実施形態における情報処理システムの処理の一例を示すフローチャートである。
【図６】図６は、本実施形態における表示画面の一例を示す図である。
【図７】図７は、本実施形態における表示画面の一例を示す図である。
【図８】図８は、本実施形態における表示画面の一例を示す図である。
【発明を実施するための形態】
【００１０】
以下に、本発明にかかる情報処理システム、情報処理プログラム、情報処理装置、および、情報処理方法の実施の形態を図面に基づいて詳細に説明する。なお、この実施の形態によりこの発明が限定されるものではない。
【００１１】
本発明の実施形態について、図１乃至図８を参照して以下に説明する。但し、以下に示す本実施形態は、本発明の技術思想を具体化するための情報処理システムを例示するものであって、本発明をこの情報処理システムに特定することを意図するものではなく、特許請求の範囲に含まれるその他の実施形態の情報処理システムにも等しく適用し得るものである。例えば、本実施形態で例示する情報処理システムにおけるサーバ側と端末側の機能分散の形態は以下に限られず、同様の効果や機能を奏し得る範囲において、任意の単位で機能的または物理的に分散・統合して構成することができる。
【００１２】
［情報処理システムの構成］
まず、本実施形態における情報処理システムの構成の一例について、図１を参照して以下に説明する。図１は、本実施形態における情報処理システムの概略構成の一例を示す概念図である。なお、本実施形態においては、通信型のナビゲーションを提供する情報処理システムを具体例として説明するが、本発明はこれに限ることなく、スタンドアローンタイプの情報処理システムなどにも適用可能である。
【００１３】
また、本実施形態における情報処理システムにおいては、各構成が端末装置１００または情報処理サーバ２００のいずれかに備えられて処理を行うものを、情報処理システムとして説明するが、当該実施例に限らず、各構成が分離した複数の筐体（例えば、情報処理装置等）内に備えられ、ネットワーク３００等を介して接続されて一つの概念としてのシステムまたは装置を構成するもの（例えば、クラウドコンピューティング等）であってもよい。
【００１４】
図１に示すように、本実施形態の情報処理システムは、概略的に、地図情報提供および経路探索等を行うことができる情報処理サーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これら情報処理システムの各部は任意の通信路を介して通信可能に接続されている。
【００１５】
［情報処理サーバ２００の構成］
次に、本実施形態における情報処理サーバ２００の構成の一例について、図２を参照して以下に説明する。図２は、本実施形態における情報処理サーバ２００の構成の一例を示すブロック図であり、該構成のうち本発明に関係する部分のみを概念的に示している。
【００１６】
ここで、図２に示すように、本実施形態の情報処理システムにおいて、情報処理サーバ２００は、概略的に、制御部２０２と記憶部２０６とを少なくとも備えている。情報処理サーバ２００は、経路探索条件に基づく経路情報を取得し、経路探索条件および取得した経路情報の少なくとも一方に基づいて、最終の経路であることを示す最終経路情報の出力の要否を判定し、最終経路情報の出力が必要と判定された場合に、取得した経路情報と共に、経路探索条件および取得した経路情報の少なくとも一方に基づく最終経路情報を出力する等の機能を有する。
【００１７】
ここで、情報処理サーバ２００は、情報処理サーバ２００とネットワーク３００との間における通信制御を行う通信制御インターフェース部２０４を備えていてもよい。ここで、通信制御インターフェース部２０４は、通信回線や電話回線等に接続されるアンテナやルータ等の通信装置（図示せず）に接続されるインターフェースであってもよい。すなわち、通信制御インターフェース部２０４は、外部装置（例えば、端末装置１００等）と通信回線を介してデータを通信する機能を有していてもよい。
【００１８】
ここで、ネットワーク３００は、端末装置１００、情報処理サーバ２００、外部装置、および／または、外部システムを相互に接続する機能を有し、例えば、インターネット、電話回線網（携帯端末回線網および一般電話回線網等）、イントラネット、または、電力線通信（ＰＬＣ）等であってもよい。また、制御部２０２は、各種処理を行う制御手段である。ここで、制御部２０２は、通信制御インターフェース部２０４を介してネットワーク３００を経由し、外部装置（例えば、端末装置１００等）と相互に通信可能に接続され、外部装置（例えば、端末装置１００等）との間のデータ送受信処理等を行ってもよい。
【００１９】
また、記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（ネットワーク情報データベース２０６ａ、交通情報データベース２０６ｂ、地図情報データベース２０６ｃ、ＰＯＩ情報データベース２０６ｄ、およびイベント情報データベース２０６ｅ等）を格納する。
【００２０】
なお、記憶部２０６は、各構成要素（ネットワーク情報データベース２０６ａ、交通情報データベース２０６ｂ、地図情報データベース２０６ｃ、ＰＯＩ情報データベース２０６ｄ、およびイベント情報データベース２０６ｅ等）の全部または一部を備えていてもよい。また、情報処理サーバ２００は、外部装置に備えられた同等の各構成要素をネットワーク３００を介して利用することで、各構成要素が記憶部２０６に備えられているものとしてもよい。
【００２１】
これら記憶部２０６の各構成要素のうち、ネットワーク情報データベース２０６ａは、交通網を規定するネットワークに関するネットワーク情報を記憶するネットワーク情報記憶手段である。ここで、ネットワーク情報は、交通網表現上の結節点であるノードと、当該ノード間を接続するリンクと、の組み合わせにより表現されるネットワークに関する情報、すなわち、ノード情報とリンク情報との組み合わせであってもよい。また、ノード情報には、ノードを示すアイコン等のウィジェットを含んでいてもよい。また、ネットワーク情報は、道路ネットワーク情報、路線網ネットワーク情報、および、施設内ネットワーク情報を含んでいてもよい。
【００２２】
また、ネットワーク情報データベース２０６ａは、複数のネットワークが接続する接続位置である接続ノードに関するノード情報である接続ノード情報を記憶していてもよい。これらネットワーク情報は、ネットワーク情報データベース２０６ａに予め記憶されており、情報処理サーバ２００の制御部２０２は、定期的に、および／または、制御部２０２による処理に応じて（例えば、制御部２０２においてデータが必要となる契機等に）ネットワーク３００を介して最新のデータを外部装置（例えば、地図情報を提供する地図提供サーバなど）等からダウンロードしてネットワーク情報データベース２０６ａに記憶されたネットワーク情報をアップデートしてもよい。
【００２３】
ここで、ネットワーク情報に含まれる道路ネットワーク情報は、道路網を規定するネットワーク情報であり、例えば、交差点等の道路網表現上の結節点であるノードに関するノード情報と、ノード間の道路区間であるリンクに関するリンク情報との組み合わせにより表現されるネットワーク情報である。ここで、道路ネットワーク情報は、自動車、自転車、もしくは、徒歩に対応する道路種別（例えば、高速自動車国道、自動車専用道路、一般道、自転車専用道路、または、歩行者専用道路等）毎にネットワーク情報データベース２０６ａに格納されていてもよい。
【００２４】
例えば、道路ネットワーク情報は、車道ノードと車道リンクとの組み合わせにより表現される車両用ネットワークに関する車両用ネットワーク情報、および、歩道ノードと歩道リンクとの組み合わせにより表現される歩行者用ネットワークに関する歩行者用ネットワーク情報を含んでいてもよい。ここで、車道ノードとは、交差点、信号、または、停止線等であってもよい。また、歩道リンクとは、歩道がある場所だけでなく、歩行者が通行可能な場所である歩行者用のリンクであり、例えば、歩道、歩行者専用道路、自転車歩行者専用道路、自転車歩行者道、階段、エレベータ、エスカレータ、動く歩道、もしくは、路側帯等の歩行路、または、横断歩道、歩道橋、もしくは、地下道等の横断路などであってもよい。歩道ノードとは、信号、交差点、歩行路の曲がり角、歩行路と横断路との接続地点、または、歩行路同士（例えば、歩行者通路と昇降機（エレベータ、エスカレータ、または、動く歩道等）または階段等）の接続地点（例えば、エレベータホール等）などであってもよい。
【００２５】
また、ノード情報には、ノード番号（例えば、ノードＩＤ等）、ノードの名称、緯度経度高度等の位置座標等の位置情報、ノードの規模（例えば、交差点の大きさ等）、ノードにおける信号機の設置状況（設置情報）、ノード種別、接続するリンク本数、接続ノード番号、および、交差点名称等の情報を含んでいてもよい。また、リンク情報には、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および、二輪・軽車両専用通行帯等の専用通行帯、路線バス等優先通行帯、自転車専用通行帯、車両通行区分、ならびに、進行方向別通行区分などについての車両通行帯情報等）、中央分離帯を含む中央線の設置情報、歩行路（例えば、歩道、自転車道、歩行者専用道路、自転車専用道路、自転車歩行者専用道路、自転車歩行者道、または、路側帯等）に関する歩行路情報（例えば、歩行路の設置情報、および、設置位置に関する位置情報等を含む）、横断路（例えば、横断歩道、歩道橋、および、地下道等）に関する横断路情報（例えば、横断路の設置情報、および、設置位置に関する位置情報等を含む）、リンクにおける信号機の設置状況（設置情報）、制限速度、車線変更規制、高架、トンネルおよび橋等のリンク内属性、ならびに、名称（例えば、道路名称等）等の情報を含んでいてもよい。
【００２６】
また、道路ネットワーク情報は、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワーク情報は、自動車、オートバイ、自転車、および、徒歩等で移動する場合の経路上に存在する施設等の緯度経度情報などの位置情報等を記憶してもよい。
【００２７】
また、ネットワーク情報に含まれる路線網ネットワーク情報は、鉄道、飛行機、バス、および、船等の各交通機関（例えば、公共交通機関等）の路線網を規定するネットワーク情報であり、例えば、路線網表現上の結節点であるノード（例えば、交通機関の停留地点である駅、停留場、停車場、停留所、空港、港、および、ターミナル等）に関するノード情報（例えば、停留地点情報）と、ノード間を接続するリンク（例えば、鉄道路線（線路）、航空路線、航路、および、バス路線等）に関するリンク情報（例えば、線路情報、または、運行経路情報を含む路線情報等）との組み合わせにより表現されるネットワーク情報である。
【００２８】
ここで、路線網ネットワーク情報は、運行会社毎、路線毎、路線を運行する公共交通機関毎にネットワーク情報データベース２０６ａに格納されていてもよい。また、路線とは、交通機関が通過する出発地と目的地とを結ぶ線であってもよい。また、運行経路情報は、交通機関の路線が設定された交通機関が実際に移動する運行経路に関する情報であって、当該運行経路の位置情報を含んでいてもよい。また、鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、および、リニアモーターカー等であってもよい。
【００２９】
また、ノード情報には、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置情報などの情報を含んでいてもよい。また、リンク情報には、リンク番号（例えば、リンクＩＤ等）、開始ノードＩＤ、終了ノードＩＤ、種別、リンク長（例えば、距離等）、高架、トンネルおよび橋等のリンク内属性、リンクの名称（例えば、路線名など）、ならびに、緯度経度高度などの位置情報等の情報を含んでいてもよい。
【００３０】
また、路線網ネットワーク情報は、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）に関するノード情報と、当該ノード間を接続する鉄道路線、および、バス路線等のリンクに関するリンク情報との組み合わせにより表現されるネットワーク情報を当該種別に対応付けて含んでいてもよい。
【００３１】
また、路線網ネットワーク情報は、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワーク情報は、交通機関の利用運賃料金データを含んでいてもよい。ここで、利用運賃料金データは、例えば、鉄道、飛行機、バス、および、船等の各交通機関を利用した場合に生じる運賃および料金等を表す情報等であってもよい。
【００３２】
また、路線網ネットワーク情報は、乗車位置データを含んでいてもよい。ここで、乗車位置データは、例えば、電車、市電、モノレール、ケーブルカー、および、リニアモーターカー等の複数の車両が連結した交通機関の各車両（号車）乗車（停留）位置（一例として、改札口に近い車両、乗換に便利な位置の車両、混雑率の低い車両、および、女性専用車両等）、または、交通機関の輸送体（例えば、列車、または、バス車両等）の各ドアの乗車（停留）位置（一例として、改札口前のドア、階段前のドア、および、エレベータ前のドア等）を表す情報等であってもよい。
【００３３】
また、ネットワーク情報に含まれる施設内ネットワーク情報は、施設内の経路網を規定するネットワーク情報である。ここで、施設内ネットワーク情報は、例えば、建造物内の店舗、会社、事務所、およびトイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードに関するノード情報と、ノード間を接続する通路、階段、動く歩道、エスカレータ、および、エレベータ等であるリンクに関するリンク情報との組み合わせにより表現されるネットワーク情報である。
【００３４】
ここで、ノード情報には、ノード番号（例えば、ノードＩＤ等）、ノードの名称（出入口名および乗降口名等）、緯度経度高度等の位置座標等の位置情報、ノード種別（例えば、出入口、乗降口、通路の曲がり角、および通路の分岐点等）、接続するリンク本数、および、接続ノード番号等の情報を含んでいてもよい。また、リンク情報には、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００３５】
また、交通情報データベース２０６ｂは、交通情報を記憶する交通情報記憶手段である。ここで、交通情報は、交通機関の時刻表に関する時刻表情報を含んでいてもよい。ここで、時刻表情報は、交通機関の停留地点毎の時刻表に関する停留地点時刻表情報、および、交通機関毎の運行時刻表に関する運行時刻表情報を含んでいてもよい。また、時刻表情報は、鉄道、飛行機、バス、および、船等の各交通機関の時刻表を表す情報であってもよい。
【００３６】
また、時刻表情報は、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表情報は、交通機関の路線上のノードを結ぶ区間（例えば、一つまたは複数のリンク等）毎に対応付けられた交通機関の属性情報（例えば、種別および行先情報等）を含んでいてもよい。
【００３７】
また、時刻表情報は、各交通機関の乗降に用いられる乗降場所の名称および識別番号（例えば、プラットホーム番号など）等の乗降場所の属性情報を含んでいてもよい。また、停留地点時刻表情報は、停留地点単位の時刻表情報（例えば、各停留地点を経由する交通機関の到着時刻を定めた時刻表情報等）であってもよい。また、運行時刻表情報は、交通機関単位の時刻表情報（例えば、各交通機関が経由する停留地点の経由時刻を定めた時刻表情報等）であってもよい。
【００３８】
また、交通情報は、交通機関の運行情報（例えば、遅延情報、および、運休情報等）を含んでいてもよく、例えば、運行情報は、鉄道運行情報、航空運行情報、船舶運行情報、および、バス運行情報等を含んでいてもよい。なお、運行情報は、路線または運行便毎の、経由する停留地点およびその経由予定時刻に関する情報を含んでいてもよい。また、時刻表情報は、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。
【００３９】
また、交通情報は、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止め、交通の安全を確保するために設置されるコミュニティ・ゾーン等による一般車の進入禁止、ならびに、私有地への接続路であることによる一般車の進入禁止等の情報などを含んでもよい。
【００４０】
また、交通規制情報は、工事、事故、または、車両故障等により車両通行帯等が走行不能または走行困難となる通行規制情報であってもよい。また、これら交通情報は、交通情報データベース２０６ｂに予め記憶されており、情報処理サーバ２００の制御部２０２は、定期的（例えば、５分毎等）に、および／または、制御部２０２による処理に応じて（例えば、制御部２０２においてデータが必要となる契機等に）ネットワーク３００を介して最新のデータを外部システム（例えば、警察庁、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、および、ＡＴｉＳ（登録商標）（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（登録商標）（ＪＡＲＴＩＣ（登録商標））、鉄道会社、バス会社、および、交通情報配信サーバ（サービス）など）等からダウンロードして交通情報データベース２０６ｂに記憶された交通情報をアップデートしてもよい。
【００４１】
また、地図情報データベース２０６ｃは、地図に関する地図情報を記憶する地図情報記憶手段である。ここで、地図情報データベース２０６ｃは、複数の縮尺の地図に関する地図情報、または、複数の縮尺の地図に対応可能な地図情報を記憶していてもよい。すなわち、地図情報は、複数の縮尺のラスタ形式の地図描画用の画像、または、ベクタ形式の地図描画用の画像等を含んでいてもよい。
【００４２】
ここで、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図情報等の屋外地図情報を含んでいてもよい。また、地図情報データベース２０６ｃは、公共交通機関の路線図に関する路線図情報を記憶していてもよい。
【００４３】
また、地図情報は、例えば、高さ情報を持つ建築物（例えば、立体駐車場、駅、デパート、および、学校等）に関するフロア案内地図等の屋内地図情報を含んでいてもよい。また、地図情報データベース２０６ｃは、地図情報と、当該地図情報を一意に識別する地図ＩＤ（例えば、メッシュ番号等）と、を対応付けて記憶してもよい。なお、地図情報（地図データ）は、道路地図等のように、忠実に縮小表現が行われた地図データに限らず、観光地図等のように、縮尺や方位等の情報が一部または全部捨象されたような簡易地図データ（デフォルメマップ）等であってもよい。
【００４４】
また、地図情報データベース２０６ｃは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報（例えば、アイコン等）などのデータを含んでいてもよい。ここで、形状情報は、地図オブジェクト描画用の画像（例えば、ポリゴン、および、ポリライン等）を含んでいてもよい。
【００４５】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。
【００４６】
また、これら地図情報等は、地図情報データベース２０６ｃに予め記憶されており、情報処理サーバ２００の制御部２０２は、定期的に、および／または、制御部２０２による処理に応じて（例えば、制御部２０２においてデータが必要となる契機等に）ネットワーク３００を介して最新のデータを外部装置（例えば、地図情報を提供する地図提供サーバなど）等からダウンロードして地図情報データベース２０６ｃに記憶された地図情報等をアップデートしてもよい。
【００４７】
ＰＯＩ（Ｐｏｉｎｔ  Ｏｆ  Ｉｎｔｅｒｅｓｔ）情報データベース２０６ｄは、ＰＯＩの位置情報等を含むＰＯＩ情報を記憶するＰＯＩ情報記憶手段である。ここで、ＰＯＩ情報は、ＰＯＩの位置情報、ＰＯＩの名称、種別（カテゴリ）、ＵＲＬ、営業時間、取扱商品、平均価格（例えば、平均使用料金など）、評判、ランキング、立ち寄りやすさ、レコメンドスコア、写真データ、クーポン情報、口コミ（例えば、口コミ評価およびユーザコメントなど）、使用条件、使用可能性、施設規模、ＰＯＩ  ＩＤ、当該ＰＯＩ情報へのアクセス回数またはアクセス頻度等の参照率、および、当該ＰＯＩ情報の更新日時等の情報を含んでいてもよい。
【００４８】
ここで、ＰＯＩの位置（座標）情報は、ＰＯＩの緯度経度高度、ＰＯＩの電話番号、ＰＯＩの住所、ならびに、ＰＯＩの存在する地点の立地（都市部、郊外、港湾部、および、駅周辺等）および用途制限等を含んでいてもよい。また、ＰＯＩとは、便利な場所や興味のある場所などとして人が知覚する特定の地点および施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。
【００４９】
また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。
【００５０】
また、これらＰＯＩ情報は、ＰＯＩ情報データベース２０６ｄに予め記憶されており、情報処理サーバ２００の制御部２０２は、定期的に、および／または、制御部２０２による処理に応じて（例えば、制御部２０２においてデータが必要となる契機等に）ネットワーク３００を介して最新のデータを外部装置（例えば、ＰＯＩ情報を提供するＰＯＩ情報提供サーバなど）等からダウンロードしてＰＯＩ情報データベース２０６ｄに記憶されたＰＯＩ情報等をアップデートしてもよい。
【００５１】
イベント情報データベース２０６ｅは、イベントの期間情報等を含むイベント情報を記憶するイベント情報記憶手段である。ここで、イベント情報は、イベントの内容と、当該イベントの開催期間（観光可能な期間を含む）等を示す期間情報（年、月日、曜日、時間帯等の時間情報）、位置情報等である。位置情報は、イベントが実施される地点や施設の緯度経度や地図座標等の地図と対応付けが可能な情報である。イベントは、例えば、行楽スポットや人が多数集合するような催し物等である。
【００５２】
行楽スポットは、行楽のために出かける地点や施設等であり、例えば、スキー場、ゴルフ場、海水浴場、サーフィンスポット、キャンプ場、登山ルート、ハイキングコース、釣りスポット、公園、遊園地、テーマパーク、動物園、水族館、美術館、博物館、温泉地、景勝地、寺社、名所、旧跡、観光スポット、展示会場、博覧会場、レース場、競輪場、競馬場、スポーツ競技場、花火大会スポット、祭りスポット、盆踊り会場、イベント会場、花見スポット、紅葉スポット、および流氷スポット等であるが、これに限られるものではなく、人が行楽を求める地点や施設等であれば、いかなるものでもよい。
【００５３】
また、催し物は、花火大会、盆踊り、夏祭り、秋祭り、初詣、彼岸、コンサート、歌謡ショー、演劇、展示会、博覧会、運動会、サッカーや野球等を含むアマ・プロのスポーツの試合、およびスポーツ競技大会（例えば、国体、オリンピック、ワールドカップ等）等であるが、これに限られるものではなく、人々が集合するような催し物であれば、いかなるものでもよい。
【００５４】
また、これらイベント情報は、イベント情報データベース２０６ｅに予め記憶されており、情報処理サーバ２００の制御部２０２は、定期的に、および／または、制御部２０２による処理に応じて（例えば、制御部２０２においてデータが必要となる契機等に）ネットワーク３００を介して最新のデータを外部装置（例えば、イベント情報を提供するイベント情報提供サーバなど）等からダウンロードしてイベント情報データベース２０６ｅに記憶されたイベント情報をアップデートしてもよい。
【００５５】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行ってもよい。例えば、制御部２０２は、これらのプログラム等により、外部装置（例えば、端末装置１００等）との間のデータ送受信処理、および／または、記憶部２０６におけるデータ入出力処理（格納処理、および、抽出処理）等を行ってもよい。
【００５６】
制御部２０２は、機能概念的に、入出力制御部２０２ａと、経路情報取得部２０２ｂと、最終経路情報要否判定部２０２ｃと、および経路情報出力部２０２ｄと、を備える。なお、制御部２０２の各構成要素（入出力制御部２０２ａ、経路情報取得部２０２ｂ、最終閉路情報要否判定部２０２ｃ、および経路情報出力部２０２ｄ等）の全部または一部の機能を、情報処理サーバ２００の他の部分が実行してもよい。
【００５７】
入出力制御部２０２ａは、入力される情報を受け付け、また、出力させるための情報を出力する入出力制御手段である。また、入出力制御部２０２ａは、経路探索条件を受け付け、また、経路情報出力部２０２ｄから出力される経路情報および最終経路情報を出力してもよい。例えば、入出力制御部２０２ａは、端末装置１００から経路探索条件を受信して受け付け、また、経路情報出力部２０２ｃから出力される経路情報および最終経路情報を端末装置１００に送信して表示させてもよい。
【００５８】
経路情報取得部２０２ｂは、入出力制御部２０２ａで受け付けた、経路探索条件に基づいて経路情報を取得する手段である。ここで、経路探索条件は、少なくとも、出発地と目的地に関する情報を含み、出発地や目的地に関する情報の他、経由地、現在時刻、出発時刻、時間が短い順、所要時間、運賃が安い順、乗り換えが少ない順、ＣＯ２が少ない順、エレベータ優先、エスカレータ優先、交通機関の種別（例えば、特急、急行、準急、快速、快速急行、通勤特急、通勤快速、通勤急行、区間急行、区間準急、区間快速、各駅停車、および、普通など）等を含んでいてもよい。経路情報取得部２０２ｂは、経路探索条件に基づいて、交通情報データベース２０６ｂを参照して経路情報を取得してもよい。経路情報取得部２０２ｂは、経路探索条件の履歴から経路探索条件を取得してもよく、また、
経路情報の履歴から経路情報を取得してもよい。また、ユーザは経路探索条件や経路情報をＭｙルートに登録することが可能となっている。経路情報取得部２０２ｂは、Ｍｙルートに登録されている経路探索条件を使用して、経路情報を取得することにしてもよい。これにより、新たに経路探索条件を取得する必要がなくなる（ユーザが経路探索条件を入力しなくてもよくなる）。また、経路情報取得部２０２ｂは、Ｍｙルートに登録された経路情報を使用することにしてもよい。これにより、新たに経路探索を行わなくてもよくなる。
【００５９】
最終経路情報要否判定部２０２ｃは、経路探索条件および経路情報取得部２０２ｂで取得した経路情報の少なくとも一方に基づいて、最終の経路であることを示す最終経路情報の出力の要否を判定する手段である。最終経路情報要否判定部２０２ｃは、交通情報データベース２０６ｂを参照して最終経路情報の出力の要否を判定することにしてもよい。
【００６０】
また、最終経路情報要否判定部２０２ｃは、経路探索条件および経路情報取得部２０２ｂで取得した経路情報の少なくとも一方に含まれる時刻の情報に基づいて、最終経路情報の出力の要否を判定することにしてもよい。また、最終経路情報要否判定部２０２ｃは、経路探索条件および経路情報取得部２０２ｂで取得した経路情報の少なくとも一方と、最終経路情報とを比較して、最終経路情報の出力の要否を判定することにしてもよい。また、最終経路情報要否判定部２０２ｃは、経路探索要求を受け付けた時刻の情報に基づいて、最終経路情報の出力の要否を判定してもよい。ここで、経路探索要求を受け付けた時刻とは、ユーザがシステムに対して経路探索要求をしたと解される時刻であり、例えば、経路情報取得部２０２ｂが経路探索条件を受け付けた時刻である。
【００６１】
また、最終経路情報要否判定部２０２ｃは、最終経路の発時刻までの間に存在する他の利用可能な経路の数に基づいて、最終経路情報の出力の要否を判定することにしてもよい。また、最終経路情報は、終電経路情報および終バス経路情報の少なくとも一方であることにしてもよい。
【００６２】
経路情報出力部２０２ｄは、最終経路情報要否判定部２０２ｃで最終経路情報の出力が必要と判定された場合に、経路情報取得部２０２ｂで取得した経路情報と共に、経路探索条件および経路情報取得部２０２で取得した経路情報の少なくとも一方に基づく最終経路情報を出力する手段である。経路情報出力部２０２ｄは、交通情報データベース２０６ｂを参照して最終経路情報を出力してもよい。また、経路情報出力部２０２ｄは、最終経路情報を識別表示することにしてもよい。また、識別表示は、強調・枠別・拡大・マーカー・色表示等を含むことにしてもよい。
【００６３】
［端末装置１００の構成］
また、本実施形態における端末装置１００の構成の一例について、図３を参照して以下に説明する。図３は、本実施形態における端末装置１００の構成の一例を示すブロック図であり、該構成のうち本発明に関係する部分のみを概念的に示している。
【００６４】
ここで、図３に示すように、本実施形態の情報処理システムにおいて、端末装置１００は、概略的に、位置取得部１１２と出力部と入力部１１８と制御部１０２と記憶部１０６とを少なくとも備えている。図３において、端末装置１００は、経路探索条件に基づく経路情報を取得し、経路探索条件および経路取得手段で取得した経路情報の少なくとも一方に基づいて、最終の経路であることを示す最終経路情報の出力の要否を判定し、最終経路情報の出力が必要と判定された場合に、取得した経路情報と共に、経路探索条件および取得した経路情報の少なくとも一方に基づく最終経路情報を出力する等の機能を有する。
【００６５】
端末装置１００は、例えば、一般に市販されるデスクトップ型、もしくは、ノート型のパーソナルコンピュータ等の情報処理装置、携帯電話、スマートフォン、ＰＨＳ、もしくは、ＰＤＡ等の携帯端末装置、または、走行経路案内等を行なうナビゲーション端末（例えば、カーナビゲーション装置、もしくは、ＰＮＤ（Ｐｏｒｔａｂｌｅ  Ｎａｖｉｇａｔｉｏｎ  Ｄｅｖｉｃｅ）など）等であってもよい。ここで、端末装置１００は、インターネットブラウザ等を搭載していてもよく、経路案内アプリケーション、乗換案内アプリケーション、および情報検索アプリケーション等を搭載していてもよい。
【００６６】
また、端末装置１００は、リアルタイムに現在位置測位が行えるよう、ＧＰＳ機能やＩＭＥＳ機能等を有する位置取得部１１２を備えていてもよい。また、端末装置１００は、表示部１１４と音声出力部１１６とを少なくとも含む出力部を備えていてもよい。また、端末装置１００は、データ入力等を行う入力部１１８を備えていてもよい。また、端末装置１００は、位置取得部１１２、表示部１１４、音声出力部１１６、および、入力部１１８等の制御を行う入出力制御インターフェース部１０８を備えていてもよい。また、端末装置１００は、端末装置１００とネットワーク３００との間における通信制御を行う通信制御インターフェース部１０４を備えていてもよい（なお、ナビゲーション端末等の端末装置１００においては、ネットワーク３００との間における通信を行わず、通信制御インターフェース部１０４を備えていなくてもよい）。
【００６７】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、カメラ、センサ、レーダ、および、マイク等であってもよい。
【００６８】
また、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置（例えば、ＧＰＳ衛星等）であってもよい。ここで、ＧＰＳ信号は、ＧＰＳ装置に搭載された原子時計等からの時刻、および、ＧＰＳ装置の天体暦（例えば、軌道情報等）などを含んでいてもよい。
【００６９】
また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。
【００７０】
ここで、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。
【００７１】
そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。
【００７２】
また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。
【００７３】
また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００７４】
また、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。
【００７５】
また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。
【００７６】
また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。
【００７７】
また、方位センサは、地磁気センサと加速度センサを組み合わせることで方位および傾きに関する情報を取得できる電子コンパス等であってもよい。また、距離センサは、車軸の回転数に比例してパルス信号を発生させ、パルス信号の数量に比例した移動距離を検出してもよい。
【００７８】
また、位置取得部１１２は、更に、通信装置を備えていてもよく、端末装置１００が車両用の情報処理端末である場合、各車両に搭載された当該通信装置の車間通信から自車位置を示す位置情報を取得してもよい。また、位置取得部１１２は、地図情報に基づいて端末装置１００のユーザの現在位置を示す位置情報を取得してもよい。
【００７９】
また、通信制御インターフェース部１０４は、通信回線や電話回線等に接続されるアンテナやルータ等の通信装置（図示せず）に接続されるインターフェースであってもよい。すなわち、通信制御インターフェース部１０４は、情報処理サーバ２００等と通信回線を介してデータを通信する機能を有していてもよい。
【００８０】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ネットワーク情報データベース１０６ａ、交通情報データベース１０６ｂ、地図情報データベース１０６ｃ、ＰＯＩ情報データベース１０６ｄ、およびイベント情報データベース１０６ｅ等）を格納してもよい。ここで、記憶部１０６は、各種のファイル等を一時的に記憶するものであってもよい。
【００８１】
ここで、記憶部１０６の各部（ネットワーク情報データベース１０６ａ、交通情報データベース１０６ｂ、地図情報データベース１０６ｃ、ＰＯＩ情報データベース１０６ｄ、およびイベント情報データベース１０６ｅ等）については、情報処理サーバ２００ではなく端末装置１００に備えられている点を除き、各機能が情報処理サーバ２００の記憶部２０６の各部（ネットワーク情報データベース２０６ａ、交通情報データベース２０６ｂ、地図情報データベース２０６ｃ、ＰＯＩ情報データベース２０６ｄ、およびイベント情報データベース２０６ｅ等）と同様であるため説明を省略する。
【００８２】
なお、記憶部１０６は、各構成要素（ネットワーク情報データベース１０６ａ、交通情報データベース１０６ｂ、地図情報データベース１０６ｃ、ＰＯＩ情報データベース１０６ｄ、およびイベント情報データベース１０６ｅ等）の全部または一部を備えていてもよい。また、端末装置１００は、外部装置に備えられた同等の各構成要素を、ネットワーク３００を介して利用することで、各構成要素が記憶部１０６に備えられているものとしてもよい。
【００８３】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行ってもよい。例えば、制御部１０２は、これらのプログラム等により、外部装置（例えば、情報処理サーバ２００等）との間のデータ送受信処理、および／または、記憶部１０６におけるデータ入出力処理（格納処理、および、抽出処理）等を行ってもよい。
【００８４】
制御部１０２は、機能概念的に、入出力制御部１０２ａと、経路情報取得部１０２ｂと、最終経路情報要否判定部１０２ｃと、および経路情報出力部１０２ｄとを備える。なお、制御部１０２の各構成要素（入出力制御部１０２ａと、経路情報取得部１０２ｂと、最終経路情報要否判定部１０２ｃと、および経路情報出力部１０２ｄ）の全部または一部の機能を端末装置１００の他の部分で実行することにしてもよい。
【００８５】
入出力制御部１０２ａは、入力部１１８から入力される情報を受け付け、出力部に出力させるための情報を出力する入出力制御手段である。例えば、入出力制御部１０２ａは、入力部１１８から、経路探索条件を受け付け、また、経路情報出力部１０２ｄから出力される経路情報および最終経路情報を出力部（表示部１１４，音声出力部１１６）に出力して、表示出力や音声出力させてもよい。
【００８６】
経路情報取得部１０２ｂは、入出力制御部１０２ａで受け付けた、経路探索条件に基づいて経路情報を取得する手段である。ここで、経路探索条件は、少なくとも、出発地と目的地に関する情報を含み、出発地や目的地に関する情報の他、経由地、現在時刻、出発時刻、時間が短い順、所要時間、運賃が安い順、乗り換えが少ない順、ＣＯ２が少ない順、エレベータ優先、エスカレータ優先、交通機関の種別（例えば、特急、急行、準急、快速、快速急行、通勤特急、通勤快速、通勤急行、区間急行、区間準急、区間快速、各駅停車、および、普通など）等を含んでいてもよい。また、経路情報取得部１０２ｂは、経路探索条件に基づいて、交通情報データベース１０６ｂを参照して経路情報を取得してもよい。経路情報取得部１０２ｂは、経路探索条件の履歴から経路探索条件を取得してもよく、また、経路情報の履歴から経路情報を取得してもよい。また、ユーザは経路探索条件や経路情報をＭｙルートに登録することが可能となっている。経路情報取得部１０２ｂは、Ｍｙルートに登録されている経路探索条件を使用して、経路情報を取得することにしてもよい。これにより、新たに経路探索条件を取得する必要がなくなる（ユーザは経路探索条件を入力しなくても済む）。また、経路情報取得部１０２ｂは、Ｍｙルートに登録された経路情報を使用することにしてもよい。これにより、新たな経路探索を行わなくてもよくなる。
【００８７】
最終経路情報要否判定部１０２ｃは、経路探索条件および経路情報取得部１０２ｂで取得した経路情報の少なくとも一方に基づいて、最終の経路であることを示す最終経路情報の出力の要否を判定する手段である。最終経路情報要否判定部１０２ｃは、交通情報データベース１０６ｂを参照して最終経路情報の出力の要否を判定することにしてもよい。
【００８８】
また、最終経路情報要否判定部１０２ｃは、経路探索条件および経路情報取得部１０２ｂで取得した経路情報の少なくとも一方に含まれる時刻の情報に基づいて、最終経路情報の出力の要否を判定することにしてもよい。また、最終経路情報要否判定部１０２ｃは、経路探索要求を受け付けた時刻の情報に基づいて、最終経路情報の出力の要否を判定してもよい。ここで、経路探索要求を受け付けた時刻とは、ユーザがシステムに対して経路探索要求をしたと解される時刻であり、例えば、経路情報取得部１０２ｂが経路探索条件を受け付けた時刻または端末装置１００がユーザから経路探索開始ボタン押下の入力を受け付けた時刻である。
【００８９】
また、最終経路情報要否判定部１０２ｃは、経路探索条件および経路情報取得部１０２ｂで取得した経路情報の少なくとも一方と、最終経路情報とを比較して、最終経路情報の出力の要否を判定することにしてもよい。
【００９０】
また、最終経路情報要否判定部１０２ｃは、最終経路の発時刻までの間に存在する他の利用可能な経路の数に基づいて、最終経路情報の出力の要否を判定することにしてもよい。また、最終経路情報は、終電経路情報および終バス経路情報の少なくとも一方であることにしてもよい。
【００９１】
経路情報出力部１０２ｄは、最終経路情報要否判定部１０２ｃで最終経路情報の出力が必要と判定された場合に、経路情報取得部１０２ｂで取得した経路情報と共に、経路探索条件および経路情報取得部１０２で取得した経路情報の少なくとも一方に基づく最終経路情報を出力する手段である。経路情報出力部１０２ｄは、交通情報データベース１０６ｂを参照して最終経路情報を出力してもよい。また、経路情報出力部１０２ｄは、最終経路情報を識別表示することにしてもよい。識別表示は、強調・枠別・拡大・マーカー・色表示等を含むことにしてもよい。
【００９２】
［情報処理システムの構成（その１）］
ここで、本実施形態における情報処理システムの構成の一例について、図４を参照して以下に説明する。図４は、本実施形態における情報処理システムの一例を示すブロック図である。
【００９３】
図４に示すように、本実施形態の情報処理システムは、概略的に、地図情報提供および経路情報提供等を行うことができる情報処理サーバ２００、および、単数または複数の端末装置１００がネットワーク３００を介して通信可能に接続して構成される。
【００９４】
図４に示すように、本実施形態の情報処理システムにおいて、情報処理サーバ２００は、概略的に、制御部２０２と、情報処理サーバ２００とネットワーク３００との間における通信制御を行う通信制御インターフェース部２０４と、記憶部２０６とを少なくとも備えている。一例として、図４に示すように、制御部２０２は、経路情報取得部２０２ｂと、最終経路情報要否判定部２０２ｃと、および経路情報出力部２０２ｄ等を備えていてもよい。また、図５に示すように、記憶部２０６は、ネットワーク情報データベース２０６ａ、交通情報データベース２０６ｂ、地図情報データベース２０６ｃ、ＰＯＩ情報データベース２０６ｄ、およびイベント情報データベース２０６ｅ等を備えていてもよい。
【００９５】
また、図４に示すように、本実施形態の情報処理システムにおいて、端末装置１００は、概略的に、制御部１０２と、端末装置１００とネットワーク３００との間における通信制御を行う通信制御インターフェース部１０４と、記憶部１０６と、位置取得部１１２と、出力部（表示部１１４および音声出力部１１６）と、入力部１１８と、位置取得部１１２、表示部１１４、音声出力部１１６、および、入力部１１８等の制御を行う入出力制御インターフェース部１０８と、を少なくとも備えている。一例として、図４に示すように、制御部１０２は、入出力制御部１０２ａを備えていてもよい。また、記憶部１０６は、情報処理サーバ２００から送信される出力情報等を記憶していてもよい。
【００９６】
以上で、本実施形態における情報処理システムの構成の一例の説明を終える。
【００９７】
［情報処理システムの処理］
次に、このように構成された本実施形態における情報処理システムの処理の一例について、以下に図５乃至図８を参照して説明する。図５は、本実施形態における情報処理システムの処理の一例を示すフローチャートである。一例として、主として電車や列車の公共交通機関を使用する経路の例について説明する。
【００９８】
図５に示すように、端末装置１００の入出力制御部１０２ａは、経路探索条件を、ユーザに入力部１１６を介して入力させるよう制御する（ステップＳＡ−１）。経路探索条件は、少なくとも、出発地と目的地に関する情報を含み、出発地や目的地に関する情報の他、経由地、現在時刻、出発時刻、時間が短い順、所要時間、運賃が安い順、乗り換えが少ない順、ＣＯ２が少ない順、エレベータ優先、エスカレータ優先、交通機関の種別（例えば、特急、急行、準急、快速、快速急行、通勤特急、通勤快速、通勤急行、区間急行、区間準急、区間快速、各駅停車、および、普通など）等を含んでいてもよい。
【００９９】
ここで、入出力制御部１０２ａは、位置取得部１１２により取得される現在位置情報に基づく現在位置を、経路探索条件の出発地として設定してもよい。また、入出力制御部１０２ａは、例えば、ＭＹルートやシステムに予め登録された経路探索条件を送信してもよい。
【０１００】
そして、端末装置１００の入出力制御部１０２ａは、入力された経路探索条件を、情報処理サーバ２００に送信する（ステップＳＡ−２）。
【０１０１】
情報処理サーバ２００の経路情報取得部２０２ｂは、端末装置１００から送信された経路探索情報を受信して取得する（ステップＳＡ−３）。
【０１０２】
情報処理サーバ２００の経路情報取得部２０２ｂは、交通情報データベース２０６ｂを参照して、取得した経路探索条件に基づいて、経路情報を取得する（ステップＳＡ−４）。
【０１０３】
情報処理サーバ２００の最終経路情報要否判定部２０２ｃは、端末装置１００から取得した経路探索条件および経路情報取得部２０２ｂで取得した経路情報の少なくとも一方に基づいて、交通情報データベース２０６ｂを参照して、最終の経路であることを示す最終経路情報の出力の要否を判定する（ステップＳＡ−５）。ここで、最終経路情報は、電車の場合は終電情報である。
【０１０４】
情報処理サーバ２００の経路情報出力部２０２ｄは、最終経路情報要否判定部２０２ｃで最終経路情報の出力が不要と判定された場合には、経路情報取得部２０２ｂで取得した経路情報を経路情報結果として端末装置１００に送信する（ステップＳＡ−６）。
【０１０５】
他方、情報処理サーバ２００の経路情報出力部２０２ｄは、最終経路情報要否判定部２０２ｃで最終経路情報の出力が必要と判定された場合には、経路情報取得部２０２ｂで取得した経路情報に、端末装置１００から取得した経路探索条件および経路情報取得部２０２で取得した経路情報の少なくとも一方に基づく最終経路情報を付加したものを経路情報結果として端末装置１００に送信する（ステップＳＡ−７）。経路情報出力部２０２ｄは、最終経路情報を識別表示することにしてもよい。また、識別表示は、強調・枠別・拡大・マーカー・色表示等を含むことにしてもよい。
【０１０６】
端末装置１００の入出力制御部１０２ａは、情報処理サーバ２００から送信された経路情報結果を受信する（ステップＳＡ−８）。
【０１０７】
端末装置１００の入出力制御部１０２ａは、受信した経路情報結果を出力部１１４に出力する（ステップＳＡ−９）。
【０１０８】
本実施の形態によれば、経路情報取得部２０２ｂは、経路探索条件に基づく経路情報を取得し、最終経路情報要否判定部２０２ｃは、経路探索条件および経路情報取得部２０２ｂで取得した経路情報の少なくとも一方に基づいて、最終の経路であることを示す最終経路情報の出力の要否を判定し、経路情報出力部２０２ｄは、最終経路情報要否判定部２０２ｃで最終経路情報の出力が必要と判定された場合に、経路情報取得部２０２ｂで取得した経路情報と共に、経路探索条件および経路情報取得部２０２ｂで取得した経路情報の少なくとも一方に基づく最終経路情報を出力することとしたので、ユーザの経路探索時に最終経路情報の利用価値が高い状況であると推定される場合には、経路情報と共に最終経路情報を出力することが可能になる。
【０１０９】
情報処理サーバ２００のＳＡ−３〜ＳＡ−７の処理の実施例１〜実施例５を詳細に説明する。
【０１１０】
（実施例１）
最終経路情報要否判定部２０２ｃは、例えば、経路情報取得部２０２ｂで取得した経路情報に、最終の経路が含まれている場合は、最終経路情報の出力が必要と判定する。経路情報出力部２０２ｄは、最終経路情報要否判定部２０２ｃで最終経路情報の出力が必要と判定された場合には、経路情報取得部２０２ｂで取得した経路情報に、経路情報取得部２０２で取得した経路情報に含まれる最終の経路に基づく最終経路情報を付加したものを経路情報結果として端末装置１００に送信する。
【０１１１】
図６は、経路情報取得部２０２ｂで取得した経路情報と、経路情報出力部２０２ｄで生成され、端末装置１００の表示部１１４に送信されて表示される経路情報結果の一例を示す図である。経路情報は、例えば、経路探索条件で優先順位が高いものから表示することにしてもよい。図６において、経路情報取得部２０２ｂは、例えば、経路検索条件として、出発地＝表参道、目的地＝春日部、出発時刻＝７月３０日（水）の２３：３４を取得し、経路情報として、（１）２３：３５（発）→００：４８（着），（２）２３：４６→０１：１４、（３）２３：５２→０１：１４を取得したとする。この場合は、（２）２３：４６→０１：１４の経路と（３）２３：５２→０１：１４の経路は、終電であるので、最終経路情報要否判定部２０２ｃは、最終経路情報の出力が必要と判定する。
【０１１２】
経路情報出力部２０２ｄは、経路情報取得部２０２ｂで取得した経路情報に、（２）２３：４６→０１：１４の経路と、（３）２３：５２→０１：１４の経路が終電であることを示す最終経路情報ＦＰＩを付加する。同図に示す例では、最終経路情報ＦＰＩとして、「終電」である旨を示すマーカーが表示されている。
【０１１３】
これにより、取得した経路情報に最終の経路が含まれている場合は、最終経路情報を付加することとしたので、終電を検索条件とした検索を別途行わなくても、一度の検索で終電であることをユーザに知らせることが可能となる。
【０１１４】
（実施例２）
最終経路情報要否判定部１０２ｃは、経路探索条件および経路情報取得部１０２ｂで取得した経路情報の少なくとも一方に含まれる時刻の情報に基づいて、最終経路情報の出力の要否を判定することにしてもよい。
【０１１５】
例えば、最終経路情報要否判定部１０２ｃは、経路探索条件の現在時刻や出発時刻が終電に近い場合や所定時刻を過ぎている場合には、最終経路情報の出力が必要と判定し、情報処理サーバ２００の経路情報出力部２０２ｄは、経路情報取得部２０２ｂで取得した経路情報に、終電情報（最終経路情報）を付加したものを経路情報結果として端末装置１００に送信してもよい。
【０１１６】
なお、最終経路情報要否判定部１０２ｃは、経路探索条件の現在時刻や出発時刻が終電に近いか否か、所定時刻を過ぎているか否かの判断を曜日に応じて異ならせてもよい。例えば、現在時刻や出発時刻の曜日が土曜日、日曜日、祭日などである場合は、電車の本数が少なかったり、終電時刻が早い場合があるので、平日に比べて終電に近いか否かの基準を長くしてもよい。例えば、平日の場合には終電まで１時間以内か否かで判断し、土曜日、日曜日、祭日などの場合は、２時間以内か否かで判断してもよい。また、例えば、平日の場合には、２３：００以降の場合に所定時刻を過ぎていると判断し、土曜日、日曜日、祭日などの場合は、２２：３０以降の場合に所定時刻を過ぎていると判断してもよい。
【０１１７】
図７は、経路情報取得部２０２ｂで取得した経路情報と、経路情報出力部２０２ｄで生成され、端末装置１００の表示部１１４に送信されて表示される経路情報結果の一例を示す図である。
【０１１８】
図７において、経路情報取得部２０２ｂは、例えば、経路検索条件として、出発地＝銀座、目的地＝春日部、出発時刻＝７月３０日（水）の２３：２５を取得し、経路情報として、（１）２３：３０（発）→００：３０（着），（２）２３：２５→００：３０，（３）２３：２８→００：３０，（４）２３：２９→００：３０を取得したとする。例えば、出発時刻＝７月３０日（水）の２３：２５は終電が近いので（例えば、終電まで１時間以内）、最終経路情報要否判定部２０２ｃは、最終経路情報の出力が必要と判定する。
【０１１９】
経路情報出力部２０２ｄは、経路情報取得部２０２ｂで取得した経路情報に、（１）２３：３０（発）→００：３０（着）と（２）２３：２５→００：３０には、それぞれ、終電の経路００：１１→０１：１４，００：０５→０１：１４を示す最終経路情報ＦＰＩを付加する。なお、最終経路情報ＦＰＩは、例えば、経路探索条件で優先順位が高いものについてのみ表示することにしてもよい。
【０１２０】
これにより、経路探索条件の現在時刻・出発時刻が終電に近い場合や所定時刻を過ぎている場合には、終電経路を示す最終経路情報を付加することとしたので、終電が近い場合には、終電を検索条件とした検索を別途行わなくても、一度の検索で終電であることをユーザに知らせることが可能となる。
【０１２１】
なお、例えば、最終経路情報要否判定部１０２ｃは、経路情報取得部２０２ｂで取得した経路情報の道筋以外の道筋で他の終電経路が存在する場合には、最終経路情報の出力が必要と判定し、経路情報出力部２０２ｄは、経路情報取得部２０２ｂで取得した経路情報に、他の終電経路（最終経路情報）を付加したものを経路情報結果として端末装置１００に送信してもよい。ここで、道筋は、出発駅、(途中の駅)、到着駅を示す単なる道筋である。経路情報は、上述したように、道筋に加えて、道筋以外の出発時刻や到着時刻等を含む情報である。
【０１２２】
図８は、経路情報取得部２０２ｂで取得した経路情報と、経路情報出力部２０２ｄで生成され、端末装置１００の表示部１１４に送信されて表示される経路情報結果の一例を示す図である。図８において、経路情報取得部２０２ｂは、例えば、経路検索条件として、出発地＝新宿、目的地＝春日部、出発時刻＝７月３０日（水）の２３：２７を取得し、経路情報として、（１）２３：３７（発）→００：５４（着），（２）２３：３１→００：００：４８，（３）２３：２９→００：４８，（４）２３：２７→００：４８を取得したとする。
【０１２３】
経路情報出力部２０２ｄは、図６と同じように、（１）２３：３７→００：５４の経路は終電であるので、最終経路情報ＦＰＩとして「終電」のマークを付加し、また、図７と同じように、（２）２３：３１→００：４８の経路に、終電経路２３：５３→０１：１４を示す最終経路情報ＦＰＩを付加する。さらに、経路情報出力部２０２ｄは、他の終電経路００：００→０１：１４，００：００→０１：１４を経路情報と別枠で最終経路情報ＦＰＩとして付加する。
【０１２４】
また、最終経路情報要否判定部２０２ｃは、経路路探索要求を受け付けた時刻に基づいて、最終経路情報の出力の要否を判定してもよい。例えば、最終経路情報要否判定部２０２ｃは、経路情報取得部２０２ｂで経路探索条件を受け付けた時刻が、終電に近い場合や所定時刻を過ぎている場合には、最終経路情報の出力が必要と判定し、経路情報出力部２０２ｄは、経路情報取得部２０２ｂで取得した経路情報に、終電情報（最終経路情報）を付加したものを経路情報結果として端末装置１００に送信してもよい。
【０１２５】
（実施例３）
最終経路情報要否判定部１０２ｃは、経路探索条件および経路情報取得部１０２ｂで取得した経路情報の少なくとも一方と、最終経路情報とを比較して、最終経路情報の出力の要否を判定することにしてもよい。
【０１２６】
例えば、最終経路情報要否判定部１０２ｃは、経路探索条件の出発時刻や経路情報取得部１０２ｂで取得した経路情報の出発時刻と、経路探索条件の時刻条件を終電に変更して経路情報取得部１０２ｂで取得した終電経路情報の出発時刻とが互いに近い場合（例えば、１時間以内）は、最終経路情報の出力が必要と判定し、経路情報出力部２０２ｄは、経路情報取得部２０２ｂで取得した経路情報に、最終経路情報（終電情報）を付加したものを経路情報結果として端末装置１００に送信してもよい。
【０１２７】
（実施例４）
最終経路情報要否判定部１０２ｃは、最終経路の発時刻までの間に存在する他の利用可能な経路の数に基づいて、最終経路情報の出力の要否を判定することにしてもよい。例えば、最終経路情報要否判定部１０２ｃは、経路情報取得部１０２ｂで取得した経路情報のうち、終電経路時刻までに利用可能な経路の数が所定数以内の場合には、最終経路情報の出力が必要と判定し、経路情報出力部２０２ｄは、経路情報取得部２０２ｂで取得した経路情報に、最終経路情報（終電情報）を付加したものを経路情報結果として端末装置１００に送信してもよい。これにより、例えば、利用可能な電車が少ない場合でもユーザが終電に乗り遅れるのを防止できる。
【０１２８】
（実施例５）
最終経路情報要否判定部１０２ｃは、経路探索条件または経路情報取得部１０２ｂで取得した経路情報の出発地と目的地の属性に応じて、最終経路情報の出力の要否を判定することにしてもよい。例えば、ユーザの移動履歴を参照して、出発地や目的地が、ユーザが普段行かないような場所である場合には、最終経路情報の出力が必要と判定してもよい。例えば、ユーザが普段行かないような場所は、ユーザは時刻表をあまり把握していないので、終電に乗り遅れるのを防止するためである。
【０１２９】
また、最終経路情報要否判定部１０２ｃは、ＰＯＩ情報データベース１０６ｄやイベント情報データベース１０６ｅを参照して、経路探索条件または経路情報取得部１０２ｂで取得した経路情報の出発地がＰＯＩやイベントの近辺である場合は、混雑や帰りが遅くなる可能性が高いため、最終経路情報の出力が必要と判定することにしてもよい。
【０１３０】
また、最終経路情報要否判定部１０２ｃは、経路情報取得部１０２ｂで取得した経路情報が長距離経路の場合や利用料金が高い場合は、最終経路情報の出力が必要と判定することにしてもよい。例えば、終電を逃してタクシー帰宅した場合、金銭的負担が大きくなるので、終電に乗り遅れるのを防止するためである。
【０１３１】
なお、上記実施の形態では、電車や列車の公共交通機関を使用する場合を例示して説明したが、本実施の形態は、これに限られるものではなく、バスや水上バス等、他の公共交通機関を使用する場合にも適用可能である。
【０１３２】
以上で、本実施形態における情報処理システムの処理の一例の説明を終える。なお、本実施形態における情報処理システムの処理において、端末装置１００にて行われるとして説明した処理を、情報処理サーバ２００にて行ってもよく、情報処理サーバ２００にて行われるとして説明した処理を、端末装置１００にて行ってもよい。
【０１３３】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１３４】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３５】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１３６】
また、端末装置１００、および、情報処理サーバ２００に関して、図示の各構成要素は機能概念的なものであり、必ずしも物理的に図示の如く構成されていることを要しない。
【０１３７】
例えば、端末装置１００、および、情報処理サーバ２００の各装置が備える処理機能、特に制御部１０２、および、制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、および、情報処理サーバ２００に機械的に読み取られる。すなわち、ＲＯＭまたはＨＤＤなどの記憶部１０６、および、記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３８】
また、このコンピュータプログラムは、端末装置１００、および、情報処理サーバ２００に対して任意のネットワーク３００を介して接続されたアプリケーションプログラムサーバに記憶されていてもよく、必要に応じてその全部または一部をダウンロードすることも可能である。
【０１３９】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１４０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４１】
また、端末装置１００、および、情報処理サーバ２００は、既知のパーソナルコンピュータ、ワークステーション等の情報処理装置として構成してもよく、また、該情報処理装置に任意の周辺装置を接続して構成してもよい。また、端末装置１００、および、情報処理サーバ２００は、該情報処理装置に本発明の方法を実現させるソフトウェア（プログラム、データ等を含む）を実装することにより実現してもよい。
【０１４２】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１４３】
以上詳述したように、本発明によれば、ユーザが最終経路情報を必要とする状況で、ユーザに最終経路情報を提供することができる情報処理システム、情報処理プログラム、情報処理装置、および、情報処理方法を提供することができるので、ナビゲーションを支援する情報機器や情報処理分野などの様々な分野において極めて有用である。
【符号の説明】
【０１４４】
１００  端末装置
１０２  制御部
１０２ａ  入出力制御部
１０２ｂ  経路情報取得部
１０２ｃ  最終経路情報要否判定部
１０２ｄ  経路情報出力部
１０４  通信制御インターフェース部
１０６  記憶部
１０６ａ  ネットワーク情報データベース
１０６ｂ  交通情報データベース
１０６ｃ  地図情報データベース
１０６ｄ  ＰＯＩ情報データベース
１０６ｅ  イベント情報データベース
１０８  入出力制御インターフェース部
１１２  位置取得部
１１４  表示部
１１６  音声出力部
１１８  入力部
２００  情報処理サーバ
２０２  制御部
２０２ａ  入出力制御部
２０２ｂ  経路情報取得部
２０２ｃ  最終経路情報要否判定部
２０２ｄ  経路情報出力部
２０４  通信制御インターフェース部
２０６  記憶部
２０６ａ  ネットワーク情報データベース
２０６ｂ  交通情報データベース
２０６ｃ  地図情報データベース
２０６ｄ  ＰＯＩ情報データベース
２０６ｅ  イベント情報データベース
３００  ネットワーク
５００  位置発信装置
【図１】
2020073934.tif 000003
【図２】
2020073934.tif 000004
【図３】
2020073934.tif 000005
【図４】
2020073934.tif 000006
【図５】
2020073934.tif 000007
【図６】
2020073934.tif 000008
【図７】
2020073934.tif 000009
【図８】
2020073934.tif 000010